【事件の表示】
　特願２００８−２５５５９３「オークションサーバ装置、方法、プログラム」拒絶査定不服審判事件〔平成２２年　４月１５日出願公開、特開２０１０−　８６３４１〕について、次のとおり審決する。
【結　論】
　本件審判の請求は、成り立たない。
【理　由】
第１　手続の経緯
　本願は，平成２０年９月３０日の出願であって，平成２３年１０月２４日付けの拒絶理由通知に対して平成２４年１月１０日付けで手続補正がなされたが，同年７月２日付けで拒絶査定がなされ，これに対して平成２４年１０月１０日に拒絶査定不服審判の請求がなされるとともに手続補正がなされ，さらに平成２５年５月２４日付けの審尋に対して同年８月５日付けで回答書が提出されたものである。
　
第２　平成２４年１０月１０日付けの手続補正についての補正却下の決定
　
［補正却下の決定の結論］
　平成２４年１０月１０日付けの手続補正を却下する。 
　
［理由］
１．補正の内容について
　平成２４年１０月１０日付けの手続補正（以下，「本件補正」という。）により，補正前の請求項１〜６は，補正後の請求項１〜６のとおりに補正された。
　このうち，補正前の請求項１は，補正後の請求項１に対応するものと認められるところ，補正前の請求項１及び補正後の請求項１はそれぞれ以下のとおりである。
（なお，下線は，補正の個所を示すものとして審判請求人が付加したものである。）
　
＜補正前＞
「　【請求項１】
　出品者のユーザ端末，及び入札者のユーザ端末と通信可能に接続されたオークションサーバ装置であって，
　オークションに出品されるべき物品の画像情報を含むオークション情報が出品者のユーザ端末から登録され，当該登録されたオークション情報が記載されたウェブページにアクセス可能となるオークション登録手段と，
　前記オークション登録手段に登録された前記オークション情報に対応するウェブページのＵＲＬ情報を含み，撮像部を備える端末が読み取り可能な識別情報が，出品者のユーザ端末に送信されることにより，付与される識別情報付与手段と，
　予め当該物品に付着された前記識別情報が前記撮像部を備える端末により読み取られ，前記識別情報に対応するウェブページにアクセスされることによって，前記オークション登録手段に登録された前記物品に対する入札情報を入札者のユーザ端末から受け付けるリアルオークションによる入札，を含む入札受付手段と，
　を備えることを特徴とするオークションサーバ装置。」
　
＜補正後＞
「　【請求項１】
　出品者のユーザ端末，及び入札者のユーザ端末と通信可能に接続されたオークションサーバ装置であって，
　オークションに出品されるべき物品の画像情報を含むオークション情報が出品者のユーザ端末から登録され，当該登録されたオークション情報が記載され
るとともに入札情報が入力可能な
　前記オークション登録手段に登録された前記オークション情報に対応
しかつ入札情報が入力可能な
　予め当該物品に付着された前記識別情報が前記撮像部を備える端末により読み取られ，前記識別情報に対応するウェブページにアクセスされることによって，前記オークション登録手段に登録された前記物品に対する入札情報を
前記ウェブページを介して
　を備えることを特徴とするオークションサーバ装置。」
　
２．補正の目的について
　補正後の請求項１は，補正前の請求項１に対して，「登録されたオークション情報が記載されたウェブページ」を，「登録されたオークション情報が記載されるとともに入札情報が入力可能なウェブページ」に限定し，「オークション情報に対応するウェブページ」を，「オークション情報に対応しかつ入札情報が入力可能なウェブページ」に限定し，「物品に対する入札情報を入札者のユーザ端末から受け付ける」ことを，「物品に対する入札情報を前記ウェブページを介して入札者のユーザ端末から受け付ける」ことに限定するものであるから，請求項１に係る本件補正は，特許法第１７条の２第５項第２号に規定される「特許請求の範囲の減縮」を目的とするものである。
　
　そこで，本件補正後の請求項１に係る発明（以下，「本件補正発明」という。）が，特許出願の際独立して特許を受けることができるものであるか（特許法第１７条の２第６項において準用する同法第１２６条第７項の規定に適合するか）について以下に検討する。
　
３．引用例
（１）引用例１
　原査定の拒絶の理由に引用された特開２００１−２２２６７０号公報（以下，「引用例１」という。）には，図面とともに，次の事項が記載されている。
　
（ア）「【０００１】
【発明の属する技術分野】本発明は，通信ネットワークを介した競売に関し，特にネットワーク上での競売の場を出品者及び入札者に対して提供する競売システム，競売方法，及び競売用プログラムを記録した記録媒体に関する。」
　
（イ）「【００４７】
【発明の実施の形態】次に本発明の実施の形態について図面を参照して詳細に説明する。
【００４８】以下，本明細書においては，競売（オークション）の対象を商品４０，競売において商品４０を出品する者を出品者２，競売において商品４０に入札を行う者を入札者３，本発明の競売システム１００により競売仲介サービスを提供する者（業者等）をサービス提供者と呼ぶこことする。
【００４９】図１は，本発明の第１の実施の形態による競売システム１００の構成を示すブロック図であり，図２は，本発明の第１の実施の形態による競売システムの各装置の構成を示すブロック図である。
【００５０】図１を参照すると，本実施の形態の競売システム１００は，競売対象の商品４０の登録を受け付け，かつこの登録した商品４０に対する入札を処理する競売サーバ１０を備える。また，出品者２及び入札者３は，それぞれの端末（出品端末２０，入札端末３０）により競売サーバ１０に対し接続し，商品４０の登録及び入札の通信を行う。
【００５１】まず最初に，出品者２は，競売に出品する商品４０を競売サーバ１０に対し登録する。すると，競売サーバ１０は，この登録した商品４０を特定し識別するための情報である識別子（識別情報）を，出品者２に対し通知する。
【００５２】次に，出品者２は，商品４０を対応する識別子を明示して入札者３に対し展示する。この展示を行う方法及び展示を行う場所には制限は無く，任意の展示場４において展示することができる。
【００５３】入札者３は，この展示された商品４０を参照し入札を行う。この入札処理においては，入札端末３０から競売サーバ１０に対し，入札対象の商品をその識別子により指定し，入札を行うのである。
【００５４】識別子を用いる理由は，不特定の商品の出品を受け付けてその入札を処理するためには，競売システム１００に対し入札対象の商品４０を指定し通知する必要があるためである。また，商品４０の指定方法として，単にその商品４０の名前を指定するのでは同一の名前の他の商品４０との混同が生じる危険があり，又その商品４０の展示場所を指定する方式では入札中に商品４０の展示場所を移動させることができない。このため，本実施の形態の競売システム１００では，競売システム１００が処理する各商品４０を一意に示す固有の識別子を介して入札を行うことにより，これらの問題点を解消している。
【００５５】図２を参照すると，本実施の形態の競売システム１００は，競売サーバ１０と出品端末２０と入札端末３０との各装置を備えている。
【００５６】競売サーバ１０は，本発明のネットワーク上の競売サービスを管理するサーバであり，出品者２からの競売対象の商品４０の登録を受け付け，この登録した商品４０に対する入札者３からの入札を処理する。
【００５７】競売サーバ１０は，出品端末２０からの競売の対象となる商品４０の登録を受け付ける出品受付部１１と，識別子を出品端末２０に通知する識別子通知部１２と，ネットワーク５０の通信回線に対し通信を行う通信部１３と，出品者の情報である出品者情報を記録する出品者情報記憶部１４と，商品の情報である商品情報を記録する商品情報記憶部１５と，入札端末３０からの入札を処理する入札処理部１６を備える。
【００５８】出品受付部１１は，入力された商品４０に対応する識別子を生成する識別子生成部１１１を備える。ここで，識別子（識別情報）とは，各商品４０を個別に識別するための情報であり，登録する各商品４０それぞれに対し固有の異なる識別子を定める。
【００５９】出品受付部１１による出品の受付処理は，出品端末２０から出品する商品４０の商品情報の入力を受け，識別子生成部１１１により入力された商品４０に対応する識別子を生成し，商品情報記憶部１５に対しこの商品の情報と対応する識別子とを登録することにより行われる。そして更に，識別子通知部１２は，出品受付部１１の識別子生成部１１１が生成したこの商品４０の識別子を，出品端末２０に対し通知を行う。これにより，出品者２は，商品４０に対応する識別子を明示して展示することができるようになる。」
　
（ウ）「【００６４】図４の例を参照すると，商品情報記憶部１５が記録する商品情報は，商品４０の識別子，商品４０の名前や説明文等の入札者向けの情報，競売の開催期間や入札条件等の競売実行に必要な情報等から構成される。図４の例では，商品４０の識別子は“０１２３４５６７８９”として示されている。
【００６５】この商品情報を参照することにより，競売サーバ１０が各商品４０の入札結果の判定等の競売の処理を行い，また入札者３が商品の情報をネットワーク５０から参照するためにも用いることができる。」
　
（エ）「【００７９】（１）「商品の登録」
図５は，本実施の形態の商品の登録処理の動作を説明するためのフローチャートである。
【００８０】競売サーバ１０の出品者情報記憶部１４には，事前に図３の例に示されるような出品者情報を登録しておき，登録した出品者２からの出品を受け付ける。
【００８１】図５を参照すると，まず出品者２が出品端末２０を介して，競売サーバ１０の出品受付部１１に，出品する商品４０の商品情報を入力する（ステップ５０１）。
【００８２】登録する商品情報は，出品者情報記憶部に登録されている出品者２の出品者識別子と，商品４０の名前や説明等の入札者向けの情報と，入札条件や入札期間等の競売実行に必要な情報とから構成される。
【００８３】次に，識別子生成部１１１が，出品された商品４０に識別子を割り当てる（ステップ５０２）。次に，出品受付部１１は，商品の情報とその商品に割り当てた識別子とを商品情報記憶部１５に格納する（ステップ５０３）。次に，識別子通知部１２は，商品に割り当てた識別子を通信部１３を介して出品端末２０に送信し，出品者２にその識別子を通知する（ステップ５０４）。
【００８４】以上の商品の登録処理により，出品者２は商品４０の情報を競売サーバ１０に登録し，商品４０の識別子を取得ことができる。
【００８５】なお，上記手順において，ステップ５０３とステップ５０４の順序は逆にしてもよい。
【００８６】（２）「商品の展示」
出品者２は，上記の商品の登録処理により，競売サーバ１０への登録が完了し，識別子が割り当てられた商品４０を，商品４０とその識別子との対応を明示した状態で，入札者３に展示する。
【００８７】例えば，識別子を記述したタグやラベルを商品に添付し，自己の店舗で陳列することにより，商品の展示が可能である。
【００８８】また，この展示についても，出品者２が独自に行うのみではなく，サービス提供者の側で商品を展示する場を提供し，各出品者２による商品を展示する場を備えてもよい。
【００８９】（３）「入札」
図６は，本実施の形態の入札処理の動作を説明するためのフローチャートである。
【００９０】入札者３は，出品者２により展示された商品４０を直接参照することができる。例えば，商品が展示される出品者２の店舗や，サービス提供者による展示場等を訪れて，その商品４０を参照するのである。
【００９１】入札者３が商品４０を参照した結果，商品４０の入札を希望する場合，入札者３は入札端末３０により，ネットワーク５０を介して競売サーバ１０に接続し入札を行う（ステップ６０１）。特に，入札端末３０を，携帯情報端末等の携帯の可能な端末とする場合には，商品４０を目の前にして入札を行うことができる。
【００９２】競売サーバ１０に入札対象の商品４０を通知するには，商品のラベル等により明示される，商品４０の識別子により通知することができる。
【００９３】次に，入札処理部１６の商品検索部１６１は，指定された識別子に対応する商品の情報を商品情報記憶部１５から検索し，該当する商品４０の名前や説明等の入札者向けの商品情報を入札端末３０に送信する（ステップ６０２）。
【００９４】次に，入札者３は，受信した商品情報を参照し，入札しようとしている商品４０と誤りがないか否かを判断する（ステップ６０３）。
【００９５】例えば，入札者が識別子の入力を誤った場合や，出品者２が他の商品の識別子を間違えて表示した場合等においては，競売サーバ１０から異なる商品の情報を受信するために，入札者３がその誤りに気付き入札のミスを回避することができる。」
　
（オ）「【０１３２】また，上記の各実施の形態においては，識別子の表示方法の例として，数字や文字により示される識別子を記述したタグやラベルを商品に添付して陳列する方法を説明したが，識別子のデータの形態や，その各形態の識別子の表示方法は様々な形態が可能である。例えば，ラベル等に識別子を表示する場合においても，識別子の数字や文字をそのまま示す方式や，数値をバーコードにより示す方式や，ラベル上に孔や切り欠きや凹凸等の物理的形状により示す方式や，磁気カードや電子カード等のようにラベル内の磁気的や電気的な記録部に記録する方式等が可能である。更に又，ラベル以外の方式においては，各商品４０に対応して赤外線や電波や信号音の発信部を設置し識別子のデータを発信する方式や，各商品４０に対応して電気信号の通信端子を設置し，識別子のデータを前記通信端子に接続して受信する方式等が可能である。
【０１３３】また，識別子のデータは，入札者３が入札端末３０の入力ボタン等の入力部を操作して手作業で入力する方式に限らず，入札端末３０に識別子のデータを読み取る識別子読み取り部を備え，自動的に読み取るものとしても良い。つまり，上記の識別子の例においては，ラベルに表示する数字や文字やバーコード等の識別子を読み取る光学的読取部や，物理的形状の識別子を読み取る形状識別部や，磁気的や電気的に記録する識別子を読みとる磁気読取部や電子カード読取部や，ラベル以外の赤外線や電波や信号音により発信される識別子を受信する受信部や，電気信号の通信端子から送信される識別子を受信するための接続端子等を備えることにより，自動的に読み取りを行うことができる。
【０１３４】特に，入札端末３０を，ＰＤＡや文字データの送受信機能を備える携帯電話やＰＨＳ等の携帯情報端末とする場合においては，携帯情報端末には赤外線や電波や信号音の受信機能や通信端子への接続機能等を備えるものが多いため，従来の携帯情報端末に対し少しの機能を付加するのみで識別子の自動読み取りを実現できる。」
　
（ａ）上記摘記事項（イ）の【００５０】段落の「出品者２及び入札者３は，それぞれの端末（出品端末２０，入札端末３０）により競売サーバ１０に対し接続し，商品４０の登録及び入札の通信を行う。」との記載からみて，引用例１には，「出品者２の出品端末２０，及び入札者３の入札端末３０と接続された競売サーバ１０であって，当該競売サーバ１０は，出品端末２０，及び入札端末３０と，商品４０の登録及び入札のための通信を行い，」との事項が記載されていると認められる。
　
（ｂ）上記摘記事項（イ）の【００５７】段落の「競売サーバ１０は，出品端末２０からの競売の対象となる商品４０の登録を受け付ける出品受付部１１と，識別子を出品端末２０に通知する識別子通知部１２と，ネットワーク５０の通信回線に対し通信を行う通信部１３と，出品者の情報である出品者情報を記録する出品者情報記憶部１４と，商品の情報である商品情報を記録する商品情報記憶部１５と，入札端末３０からの入札を処理する入札処理部１６を備える。」との記載からみて，引用例１には，「競売サーバ１０は，出品端末２０からの競売の対象となる商品４０の登録を受け付ける出品受付部１１と，識別子を出品端末２０に通知する識別子通知部１２と，入札端末３０からの入札を処理する入札処理部１６とを備え，」との事項が記載されていると認められる。
　
（ｃ）上記摘記事項（イ）の【００５１】段落の「まず最初に，出品者２は，競売に出品する商品４０を競売サーバ１０に対し登録する。」との記載，上記摘記事項（エ）の【００８１】段落の「まず出品者２が出品端末２０を介して，競売サーバ１０の出品受付部１１に，出品する商品４０の商品情報を入力する」との記載からみて，引用例１には，「まず最初に，出品者２は，出品端末２０を介して，競売サーバ１０の出品受付部１１に，競売に出品する商品４０の商品情報を入力して，商品４０を競売サーバ１０に対して登録し，」との事項が記載されていると認められる。
　
（ｄ）上記摘記事項（イ）の【００５１】段落の「競売サーバ１０は，この登録した商品４０を特定し識別するための情報である識別子（識別情報）を，出品者２に対し通知する。」との記載，上記摘記事項（エ）の【００８３】段落の「次に，識別子生成部１１１が，出品された商品４０に識別子を割り当てる（ステップ５０２）。次に，出品受付部１１は，商品の情報とその商品に割り当てた識別子とを商品情報記憶部１５に格納する（ステップ５０３）。次に，識別子通知部１２は，商品に割り当てた識別子を通信部１３を介して出品端末２０に送信し，出品者２にその識別子を通知する（ステップ５０４）。」との記載からみて，引用例１には，「競売サーバ１０の識別子生成部１１１は，この登録した商品４０を特定し識別するための情報である識別子を割り当て，識別子通知部１２は，割り当てた識別子を出品端末２０に送信して，出品者２にその識別子を通知し，」との事項が記載されていると認められる。
　
（ｅ）上記摘記事項（イ）の【００５２】段落の「出品者２は，商品４０を対応する識別子を明示して入札者３に対し展示する。この展示を行う方法及び展示を行う場所には制限は無く，任意の展示場４において展示することができる。」との記載，上記摘記事項（エ）の【００８６】〜【００８７】段落の「出品者２は，上記の商品の登録処理により，競売サーバ１０への登録が完了し，識別子が割り当てられた商品４０を，商品４０とその識別子との対応を明示した状態で，入札者３に展示する。・・・例えば，識別子を記述したタグやラベルを商品に添付し，自己の店舗で陳列することにより，商品の展示が可能である。」との記載からみて，引用例１には，「出品者２は，識別子を記述したタグやラベルを商品に添付して商品４０とその識別子との対応を明示した状態で，識別子が割り当てられた商品４０を入札者３に対して展示し，」との事項が記載されていると認められる。
　
（ｆ）上記摘記事項（イ）の【００５３】段落の「入札者３は，この展示された商品４０を参照し入札を行う。この入札処理においては，入札端末３０から競売サーバ１０に対し，入札対象の商品をその識別子により指定し，入札を行うのである。」との記載，上記摘記事項（エ）の【００９０】〜【００９１】段落の「入札者３は，出品者２により展示された商品４０を直接参照することができる。例えば，商品が展示される出品者２の店舗や，サービス提供者による展示場等を訪れて，その商品４０を参照するのである。・・・入札者３が商品４０を参照した結果，商品４０の入札を希望する場合，入札者３は入札端末３０により，ネットワーク５０を介して競売サーバ１０に接続し入札を行う（ステップ６０１）。特に，入札端末３０を，携帯情報端末等の携帯の可能な端末とする場合には，商品４０を目の前にして入札を行うことができる。」との記載からみて，引用例１には，「入札者３は，商品が展示される出品者２の店舗等を訪れて，出品者２により展示された商品４０を直接参照し，参照した結果，入札者３が商品４０の入札を希望する場合，入札者３は入札端末３０により，ネットワーク５０を介して競売サーバ１０に接続し，入札対象の商品をその識別子により指定して入札を行い，」との事項が記載されていると認められる。
　
（ｇ）上記摘記事項（オ）の【０１３２】段落の「例えば，ラベル等に識別子を表示する場合においても，識別子の数字や文字をそのまま示す方式や，数値をバーコードにより示す方式・・・等が可能である。」との記載，上記摘記事項（オ）の【０１３３】段落の「識別子のデータは，・・・入札端末３０に識別子のデータを読み取る識別子読み取り部を備え，自動的に読み取るものとしても良い。つまり，上記の識別子の例においては，ラベルに表示する・・・バーコード等の識別子を読み取る光学的読取部・・・等を備えることにより，自動的に読み取りを行うことができる。」との記載，上記摘記事項（オ）の【０１３４】段落の「特に，入札端末３０を，ＰＤＡや文字データの送受信機能を備える携帯電話やＰＨＳ等の携帯情報端末とする場合においては，携帯情報端末には赤外線や電波や信号音の受信機能や通信端子への接続機能等を備えるものが多いため，従来の携帯情報端末に対し少しの機能を付加するのみで識別子の自動読み取りを実現できる。」との記載からみて，引用例１には，「識別子の数値をバーコードにより示す方式を用い，バーコード等の識別子を読み取る光学的読取部を入札端末３０に備えることにより，自動的に識別子の読み取りを行うことができ，」との事項が記載されている。
　
（ｈ）上記摘記事項（ウ）の【００６４】段落の「商品情報記憶部１５が記録する商品情報は，商品４０の識別子，商品４０の名前や説明文等の入札者向けの情報・・・から構成される。」との記載，上記摘記事項（エ）の【００９３】〜【００９４】段落の「入札処理部１６の商品検索部１６１は，指定された識別子に対応する商品の情報を商品情報記憶部１５から検索し，該当する商品４０の名前や説明等の入札者向けの商品情報を入札端末３０に送信する（ステップ６０２）。・・・次に，入札者３は，受信した商品情報を参照し，入札しようとしている商品４０と誤りがないか否かを判断する（ステップ６０３）。」との記載からみて，引用例１には，「入札処理部１６の商品検索部１６１は，指定された識別子に対応する商品の情報である商品４０の名前や説明文等の入札者向けの商品情報を入札端末３０に送信し，入札者３は，受信した商品情報を参照して，入札しようとしている商品４０と誤りがないか否かを判断する，」との事項が記載されていると認められる。
　
　そうすると，上記摘記事項（ア）〜（オ）の記載及び図面の記載から，引用例１には，次のとおりの発明（以下，「引用例１発明」という。）が記載されていると認められる。
　
「出品者２の出品端末２０，及び入札者３の入札端末３０と接続された競売サーバ１０であって，
　当該競売サーバ１０は，出品端末２０，及び入札端末３０と，商品４０の登録及び入札のための通信を行い，
　競売サーバ１０は，出品端末２０からの競売の対象となる商品４０の登録を受け付ける出品受付部１１と，識別子を出品端末２０に通知する識別子通知部１２と，入札端末３０からの入札を処理する入札処理部１６とを備え，
　まず最初に，出品者２は，出品端末２０を介して，競売サーバ１０の出品受付部１１に，競売に出品する商品４０の商品情報を入力して，商品４０を競売サーバ１０に対して登録し，
　競売サーバ１０の識別子生成部１１１は，この登録した商品４０を特定し識別するための情報である識別子を割り当て，識別子通知部１２は，割り当てた識別子を出品端末２０に送信して，出品者２にその識別子を通知し，
　出品者２は，識別子を記述したタグやラベルを商品に添付して商品４０とその識別子との対応を明示した状態で，識別子が割り当てられた商品４０を入札者３に対して展示し，
　入札者３は，商品が展示される出品者２の店舗等を訪れて，出品者２により展示された商品４０を直接参照し，参照した結果，入札者３が商品４０の入札を希望する場合，入札者３は入札端末３０により，ネットワーク５０を介して競売サーバ１０に接続し，入札対象の商品をその識別子により指定して入札を行い，
　識別子の数値をバーコードにより示す方式を用い，バーコード等の識別子を読み取る光学的読取部を入札端末３０に備えることにより，自動的に識別子の読み取りを行うことができ，
　入札処理部１６の商品検索部１６１は，指定された識別子に対応する商品の情報である商品４０の名前や説明文等の入札者向けの商品情報を入札端末３０に送信し，
　入札者３は，受信した商品情報を参照して，入札しようとしている商品４０と誤りがないか否かを判断する，
　競売サーバ１０。」
　
４．対比
　本件補正発明と引用例１発明とを対比する。
　
（ａ）引用例１発明の「出品者２の出品端末２０」「入札者３の入札端末３０」が，それぞれ本件補正発明の「出品者のユーザ端末」「入札者のユーザ端末」に相当する。
　引用例１発明の「競売サーバ１０」は，「競売」，すなわち「オークション」を実行するサーバ装置であるから，本件補正発明の「オークションサーバ装置」に相当する。
　そして，引用例１発明の競売サーバ１０は，出品端末２０，及び入札端末３０と，商品４０の登録及び入札のための通信を行うものであるから，引用例１発明の競売サーバ１０が，出品端末２０及び入札端末３０と，「通信可能に接続され」ていることは明らかである。
　してみれば，引用例１発明の「競売サーバ１０」と本件補正発明の「オークションサーバ装置」とは，「出品者のユーザ端末，及び入札者のユーザ端末と通信可能に接続されたオークションサーバ装置」の点で共通している。
　
（ｂ）引用例１発明の「競売に出品する商品４０」が本件補正発明の「オークションに出品されるべき物品」に相当し，引用例１発明の「競売に出品する商品４０の商品情報」は，後記する点で相違するものの，本件補正発明の「オークションに出品されるべき物品のオークション情報」に相当する。
　そして，引用例１発明において，「商品情報」は，出品端末２０を介して，競売サーバ１０の出品受付部１１に入力されて，競売サーバ１０に対して登録されるものであるから，商品情報は，「出品者２の出品端末２０（出品者のユーザ端末）から」出品受付部１１に「登録され」るものであり，商品情報が登録される「出品受付部１１」が本件補正発明の「オークション登録手段」に対応する。
　してみれば，引用例１発明の「競売サーバ１０」と本件補正発明の「オークションサーバ装置」とは，後記する点で相違するものの，「オークションに出品されるべき物品のオークション情報が出品者のユーザ端末から登録されるオークション登録手段」を備えている点で共通している。
　
（ｃ）引用例１発明において，競売サーバ１０の識別子生成部１１１は，登録した商品４０を特定し識別するための情報である識別子を割り当て，識別子通知部１２は，割り当てた識別子を出品端末２０に送信して，出品者２にその識別子を通知している。
　ここで，引用例１発明の「識別子」は，登録した商品４０を特定し識別するための情報であるから，本件補正発明の「識別情報」に相当する。
　引用例１発明では，識別子生成部１１１によって「識別子（識別情報）」が割り当てられ，識別子通知部１２によって，「識別子（識別情報）」が，「出品端末２０（出品者のユーザ端末）に送信されることにより」，「識別子（識別情報）」が，「付与される」ものであるから，引用例１発明と本件補正発明とは，「識別情報が，出品者のユーザ端末に送信されることにより，付与される」点で共通しており，また，引用例１発明の「識別子生成部１１１」及び「識別子通知部１２」が本件補正発明の「識別情報付与手段」に相当する。
　してみれば，引用例１発明の「競売サーバ１０」と本件補正発明の「オークションサーバ装置」とは，後記する点で相違するものの，「識別情報が，出品者のユーザ端末に送信されることにより，付与される識別情報付与手段」を備えている点で共通している。
　
（ｄ）引用例１発明では，出品者２が，識別子を記述したタグやラベルを商品に添付して商品４０とその識別子との対応を明示しており，引用例１発明の「商品４０」が本件補正発明の「物品」に相当し，引用例１発明の「添付」が本件補正発明の「付着」に相当するから，引用例１発明の「識別子」と本件補正発明の「識別情報」とは，「予め物品に付着された識別情報」の点で共通している。
　そして，引用例１発明では，「入札対象の商品をその識別子により指定して入札を行」っているから，引用例１発明と本件補正発明とは，「予め物品に付着された識別情報が用いられ」る点で共通している。
　引用例１発明の「商品４０」は，競売に出品するために競売サーバ１０の出品受付部１１（オークション登録手段）に登録されたものであるから，引用例１発明の「商品４０」が本件補正発明の「オークション登録手段に登録された物品」に相当し，また，引用例１発明では，入札対象の商品をその識別子により指定して入札を行っているから，この「入札を行うための情報」が本件補正発明の「オークション登録手段に登録された物品に対する入札情報」に相当する。
　そして，引用例１発明では，競売サーバ１０の「入札処理部１６」が，「商品４０（物品）に対する入札情報」を「入札者３の入札端末３０（入札者のユーザ端末）から受け付け」て入札を処理しているから，引用例１発明の「入札処理部１６」が本件補正発明の「オークション登録手段に登録された物品に対する入札情報を入札者のユーザ端末から受け付ける入札受付手段」に相当する。
　また，引用例１発明において，入札者３は，商品が展示される出品者２の店舗等を訪れて，出品者２により展示された商品４０を直接参照し，・・・入札を行うものであるから，引用例１発明の「入札」が本件補正発明の「リアルオークションによる入札」に相当する。　してみれば，引用例１発明の「競売サーバ１０」と本件補正発明の「オークションサーバ装置」とは，後記する点で相違するものの，「予め物品に付着された識別情報が用いられ，オークション登録手段に登録された物品に対する入札情報を入札者のユーザ端末から受け付けるリアルオークションによる入札，を含む入札受付手段」を備えている点で共通している。
　
　そうすると，本件補正発明と引用例１発明とは，
　
「出品者のユーザ端末，及び入札者のユーザ端末と通信可能に接続されたオークションサーバ装置であって，
　オークションに出品されるべき物品のオークション情報が出品者のユーザ端末から登録されるオークション登録手段と，
　識別情報が，出品者のユーザ端末に送信されることにより，付与される識別情報付与手段と，
　予め当該物品に付着された前記識別情報が用いられ，前記オークション登録手段に登録された前記物品に対する入札情報を入札者のユーザ端末から受け付けるリアルオークションによる入札，を含む入札受付手段と，
　を備えるオークションサーバ装置。」
　
の点で一致し，次の点で相違する。
　
［相違点１］
　本件補正発明では，オークション情報が「物品の画像情報」を含むのに対して，引用例１発明では，商品情報が「物品の画像情報」を含んでいない点。
　
［相違点２］
　本件補正発明は，オークション情報がユーザ端末から登録されると，「登録されたオークション情報が記載されるとともに入札情報が入力可能なウェブページにアクセス可能となる」のに対して，引用例１発明は，そのようになっていない点。
　
［相違点３］
　本件補正発明では，識別情報が，「オークション登録手段に登録されたオークション情報に対応しかつ入札情報が入力可能なウェブページのＵＲＬ情報を含」むのに対して，引用例１発明では，出品される商品の識別子をバーコードで表示し，これを入札端末３０の光学的読取部で自動的に読み取ることは特定されているものの，このバーコードが，「オークション登録手段に登録されたオークション情報に対応しかつ入札情報が入力可能なウェブページのＵＲＬ情報を含」むものではない点。
　
［相違点４］
　本件補正発明では，「撮像部を備える端末が読み取り可能な識別情報」が，「出品者のユーザ端末に送信される」のに対して，引用例１発明では，入札端末３０の光学的読取部で自動的に読み取りを行うことができるバーコードが，競売サーバ１０から「出品端末２０に送信される」ことは特定されていない点。
　
［相違点５］
　本件補正発明では，識別情報が，「撮像部を備える端末により読み取られ」，「識別情報に対応するウェブページにアクセスされることによって」，入札情報を「ウェブページを介して」受け付けるのに対して，引用例１発明はそのようになっていない点。
　
５．当審の判断
　上記各相違点について検討する。
　
［相違点１］について
　引用例１発明では，入札処理部１６の商品検索部１６１が，指定された識別子に対応する商品の情報である商品４０の名前や説明文等の入札者向けの商品情報を入札端末３０に送信し，入札者３は，受信した商品情報を参照して，入札しようとしている商品４０と誤りがないか否かを判断している。このような判断を行う際に，商品情報（オークション情報）が「商品４０の画像情報」を含んでいれば，この画像情報を確認することによって，「入札しようとしている商品４０と誤りがないか否か」の判断がより確実なものとなることは自明のことである。
　してみれば，引用例１発明において，「入札しようとしている商品４０と誤りがないか否か」の判断がより確実となるようにするために，「オークション情報」が「物品の画像情報を含む」ように構成することは当業者が容易に想到し得たことである。
　
［相違点４］について
　引用例１発明は，識別子の数値をバーコードにより示す方式を用い，バーコード等の識別子を読み取る光学的読取部を入札端末３０に備えることにより，自動的に識別子の読み取りを行うことができるものであり，このバーコードは，競売サーバ１０側で生成するか，出品端末２０側で生成するかのいずれかが考えられるところ，バーコードを生成する機能を各端末に個別に設けるよりもサーバにのみ設ける方がシステム全体として効率的であることは明らかであるから，バーコード，すなわち，「撮像部を備える端末が読み取り可能な識別情報」を競売サーバ１０側で生成して，競売サーバ１０から「出品端末２０（出品者のユーザ端末）に送信される」ように構成することは当業者が容易に想到し得たことである。
　
［相違点２］，［相違点３］及び［相違点５］について
　例えば特開２００５−１４９１３９号公報（特に第３図及び【００９４】〜【００９９】段落の記載参照），特開２００６−５３８０９号公報（特に第２図及び【００２３】，【００４１】段落の記載参照）等に記載されているように，「登録されたオークション情報が記載されるとともに入札情報が入力可能なウェブページ」を用いて入札情報を入力することは周知技術（以下，「周知技術１」という。）である。
　また，例えば特開２００５−３４１３６９号公報（特に【要約】の記載参照），特開２００５−１０８２００号公報（特に【０００３】〜【０００５】段落の記載参照）等に記載されているように，「二次元バーコードの中に所定のサイトやウェブページにアクセスするためのＵＲＬを含ませておき，当該二次元バーコードをカメラ付き携帯電話で読み込ませることにより，所定のサイトやウェブページにアクセスさせること」は周知技術（以下，「周知技術２」という。）である。
　してみれば，引用例１発明に上記周知技術１を適用して，競売サーバ１０に商品４０の商品情報が登録されて入札が可能となったときに，入札情報を入力するための「登録されたオークション情報が記載されるとともに入札情報が入力可能なウェブページ」に入札者が「アクセス可能となる」ように構成することには何ら困難性がない。
　また，引用例１発明は，識別子の数値をバーコードにより示す方式を用い，バーコード等の識別子を読み取る光学的読取部を入札端末３０に備えることにより，自動的に識別子の読み取りを行うことができるものであり，引用例１発明において，入札者３が，当該バーコードを読み取るのは，当該バーコードの識別子に対応する商品４０の入札を行うためであることを考慮すれば，引用例１発明に上記周知技術１，２を適用して，バーコードに，当該バーコードの識別子に対応する商品４０の入札が行えるウェブページのＵＲＬを含ませておき，このバーコードをカメラ付き携帯電話で読み込ませることにより，当該バーコードの識別子に対応する商品４０の入札が行えるウェブページにアクセスできるように構成すること，つまり，識別情報を「オークション登録手段に登録されたオークション情報に対応しかつ入札情報が入力可能なウェブページのＵＲＬ情報を含み，撮像部を備える端末が読み取り可能な識別情報」とし，この識別情報が，「撮像部を備える端末により読み取られ」，「識別情報に対応するウェブページにアクセスされることによって」，入札情報を「ウェブページを介して」受け付けるように構成することは当業者が容易に想到し得たことである。
　
　そして，本件補正発明の作用効果も，引用例１発明及び周知技術から当業者が予測できる範囲のものである。
　
　よって，本件補正発明は，引用例１発明及び周知技術に基づいて当業者が容易に発明をすることができたものであるから，特許法第２９条第２項の規定により特許出願の際独立して特許を受けることができないものである。
　
６．むすび
　したがって，本件補正は，特許法第１７条の２第６項において準用する同法第１２６条第７項の規定に違反するので，同法第１５９条第１項の規定において読み替えて準用する同法第５３条第１項の規定により却下すべきものである。
　
第３　本願発明について
１．本願発明
　平成２４年１０月１０日付けの手続補正は，上記のとおり却下されたので，本願の請求項１に係る発明（以下，「本願発明」という。）は，平成２４年１月１０日付けの手続補正書により補正された特許請求の範囲の請求項１に記載された事項により特定される次のとおりのものである。
　
「　【請求項１】
　出品者のユーザ端末，及び入札者のユーザ端末と通信可能に接続されたオークションサーバ装置であって，
　オークションに出品されるべき物品の画像情報を含むオークション情報が出品者のユーザ端末から登録され，当該登録されたオークション情報が記載されたウェブページにアクセス可能となるオークション登録手段と，
　前記オークション登録手段に登録された前記オークション情報に対応するウェブページのＵＲＬ情報を含み，撮像部を備える端末が読み取り可能な識別情報が，出品者のユーザ端末に送信されることにより，付与される識別情報付与手段と，
　予め当該物品に付着された前記識別情報が前記撮像部を備える端末により読み取られ，前記識別情報に対応するウェブページにアクセスされることによって，前記オークション登録手段に登録された前記物品に対する入札情報を入札者のユーザ端末から受け付けるリアルオークションによる入札，を含む入札受付手段と，
　を備えることを特徴とするオークションサーバ装置。」
　
２．引用例
　原査定の拒絶の理由に引用された引用例１には，上記「第２　［理由］３．」に記載したとおりの事項が記載されている。
　
３．対比・判断
　本願発明は，上記「第２　［理由］」で検討した本件補正発明から，上記「第２　［理由］２．」に記載した限定事項を省いたものである。
　
　そうすると，本願発明の構成要件を全て含み，更に他の要件を付加したものに相当する本件補正発明が前記「第２　［理由］５．」に記載したとおり，引用例１発明及び周知技術に基づいて，当業者が容易に発明をすることができたものであるから，本願発明も，同様の理由により，引用例１発明及び周知技術に基づいて当業者が容易に発明をすることができたものである。
　
４．むすび
　以上のとおり，本願発明は，引用例１発明及び周知技術に基づいて，当業者が容易に発明をすることができたものであるから，特許法第２９条第２項の規定により特許を受けることができない。
　したがって，本願は他の請求項について検討するまでもなく拒絶されるべきものである。
　よって，結論のとおり審決する。